(57)【特許請求の範囲】
【請求項１】
フォークリフトの断面４角形のヘッドガード右後脚(５)の内側の縦方向表面に、この内側の縦方向表面に沿って、コ字状のグリップ(１)を設置し、このコ字状のグリップ(１)の近傍であって、断面４角形のヘッドガード右後脚(５)の前表面に、ウインカ用スイッチ(２)と警報用ホーンボタン(３)とを設けた箱を設置し、オペレータは上半身を右後方にひねった状態で左手でハンドルを握って操作をしながら、右手でコ字状のグリップ(１)を親指以外の右手指と掌を使って握って身体を支えると共に、右手の親指でウインカ用スイッチ(２)や警報用ホーンボタン(３)を操作することができる位置にグリップ(１)、ウインカ用スイッチ(２)、および警報用ホーンボタン(３)を配置し、さらに、前記の箱に設けられているウインカ用スイッチ(２)と警報用ホーンボタン(３)の電気回路はダッシュボードに装備されているものと並列回路として構成したことを特徴とするフォークリフトの電気機器装置。
【請求項２】
フォークリフトの断面４角形のヘッドガード右後脚(５)の内側の縦方向表面に沿って設置されたコ字状のグリップ(１)の上部後方の近傍には前方確認用のミラー(４)を組合せて設けたことを特徴とする請求項１記載のフォークリフトの電気機器装置。
【請求項３】
断面４角形のヘッドガード右後脚(５)に取り付たときに、その左右の一片がそれぞれ断面４角形のヘッドガード右後脚(５)の外側と内側の縦方向表面に沿って縦長、長方形の表面となる断面がＵ字状のベースプレート(８)と、この断面がＵ字状のベースプレート(８)の内側の縦長、長方形の表面に、この内側の縦長、長方形の表面に沿って前方寄りにコ字状のグリップ(１)を設置し、さらに、このコ字状のグリップ(１)の後方上部には前方確認用のミラー(４)を設置し、そしてまた、断面４角形のヘッドガード右後脚(５)に取り付けたときに、断面４角形のヘッドガード右後脚(５)の前側の縦方向表面に沿うことになる前記の断面がＵ字状のベースプレート(８)の前表面の下側寄りにはウインカ用スイッチ(２)と警報用ホーンボタン(３)とを上下に設けた箱を固着して、断面がＵ字状のベースプレート(８)にコ字状のグリップ(１)、前方確認用のミラー(４)、およびウインカ用スイッチ(２)と警報用ホーンボタン(３)とを設けた箱とをまとめて設置し、このように部材をまとめて設置した断面がＵ字状のベースプレート(８)を断面４角形のヘッドガード右後脚(５)にあとづけ可能にすると共に、前記断面がＵ字状のベースプレート(８)を断面４角形のヘッドガード右後脚(５)に取り付たときにオペレータは上半身を右後方にひねった状態で左手でハンドルを握って操作をしながら、右手でコ字状のグリップ(１)を親指以外の右手指と掌を使って握って身体を支えると共に、右手の親指でウインカ用スイッチ(２)や警報用ホーンボタン(３)を操作することができる位置にグリップ(１)、ウインカ用スイッチ(２)、および警報用ホーンボタン(３)を配置し、さらに、前記の箱に設けられているウインカ用スイッチ(２)と警報用ホーンボタン(３)の電気回路はダッシュボードに装備されているものと並列回路として構成したことを特徴とするフォークリフトの電気機器装置。
【請求項４】
走行方向に長い辺を持つ長方形の板状のベースプレート(８)の表面の長手方向中央に長手方向の表面を横断するようにコ字状のグリップ(１)を設置し、コ字状のグリップ(１)の後方で、走行方向に長い辺を持つ長方形の板状のベースプレート(８)の外側で、かつ後側の角部に前方確認用のミラー(４)を設置し、また、長方形の板状のベースプレート(８)における前記コ字状のグリップ(１)の前側の表面には長方形の板状のベースプレート(８)の長手方向の表面を横断するような配置で、ウインカ用スイッチ(２)と警報用ホーンボタン(３)とを設置して、長方形の板状のベースプレート(８)に、グリップ(１)、前方確認用のミラー(４)、ウインカ用スイッチ(２)、および警報用ホーンボタン(３)をまとめて設置すると共に、このように部材をまとめて設置した長方形の板状のベースプレート(８)を、ボンネット(６)の上面のシート(７)の近傍に設置し、オペレータは上半身を右後方にひねった状態で左手でハンドルを握って操作をしながら、右手でコ字状のグリップ(１)を親指以外の右手指と掌を使って握って身体を支えると共に、右手の親指でウインカ用スイッチ(２)や警報用ホーンボタン(３)を操作することができる位置にグリップ(１)、ウインカ用スイッチ(２)、および警報用ホーンボタン(３)を配置し、さらに、前記のベースプレート(８)に設けられているウインカ用スイッチ(２)と警報用ホーンボタン(３)の電気回路はダッシュボードに装備されているものと並列回路として構成したことを特徴とするフォークリフトの電気機器装置。
【発明の詳細な説明】
【０００１】
【発明の属する技術分野】
この発明はフォークリフトの後進時における操作スイッチの配置位置を考慮したフォークリフトの電気機器装置に関するものである。
【０００２】
【従来の技術】
従来の技術ではフォークリフトの構造上、荷を積載した状態で前方に走行すると、前方が荷で見えないため目的地に移動する時には後進走行を行なっていた。後進走行はオペレータが左手でハンドルノブを握り、右手はボンネット又はシートにのせた姿勢で、上半身を後方にひねり運転する。
【０００３】
【発明が解決しようとする課題】
しかし上述の従来の構造では、後方走行時は上半身を後方にひねり運転しているため、車両の方向を変える時、および注意のため警報を鳴らす時、図５に示す位置にある操作スイッチ部に手が届かず安全繰作ができない状態であった。
また右手で身体を支えているが、右手をしっかり確保する手段もなく、手を滑らすとハンドル、ブレーキ、アクセル操作が安全に行えなく問題があった。こうした不具合をなくすことをこの発明の課題とした。
【０００４】
【課題を解決するための手段及び作用効果】
この発明は上記の課題に対処するためになされたもので、請求項１記載の発明はフォークリフトの断面４角形のヘッドガード右後脚の内側の縦方向表面に、この内側の縦方向表面に沿って、コ字状のグリップを設置し、このコ字状のグリップの近傍であって、断面４角形のヘッドガード右後脚の前表面に、ウインカ用スイッチと警報用ホーンボタンとを設けた箱を設置し、オペレータは上半身を右後方にひねった状態で左手でハンドルを握って操作をしながら、右手でコ字状のグリップを親指以外の右手指と掌を使って握って身体を支えると共に、右手の親指でウインカ用スイッチや警報用ホーンボタンを操作することができる位置にグリップ、ウインカ用スイッチ、および警報用ホーンボタンを配置し、さらに、前記の箱に設けられているウインカ用スイッチと警報用ホーンボタンの電気回路はダッシュボードに装備されているものと並列回路として構成したことを特徴とするフォークリフトの電気機器装置としている。
【０００５】
上述の構成を有することにより、オペレータは後方走行時上半身を後方にひねった状態で、右手でグリップを握ることとなり、これにより、右手によって、確実に身を支えることができると共に、右手でグリップを握ったままの状態で、右手の親指でウインカ用スイッチと警報用ホーンボタンを操作することができるようになる。
【０００６】
請求項２記載の発明は、フォークリフトの断面４角形のヘッドガード右後脚の内側の縦方向表面に沿って設置されたコ字状のグリップの上部後方の近傍には前方確認用のミラーを組合せて設けたことを特徴とする請求項１記載のフォークリフトの電気機器装置としている。
【０００７】
上述の構成により、オペレータは前方確認のミラーによって荷側の安全を確認することができると共に、車両の後方走行中の運転操作が一層安全にできるようになる。
【０００８】
請求項３記載の発明は、断面４角形のヘッドガード右後脚に取り付たときに、その左右の一片がそれぞれ断面４角形のヘッドガード右後脚の外側と内側の縦方向表面に沿って縦長、長方形の表面となる断面がＵ字状のベースプレートと、この断面がＵ字状のベースプレートの内側の縦長、長方形の表面に、この内側の縦長、長方形の表面に沿って前方寄りにコ字状のグリップを設置し、さらに、このコ字状のグリップの後方上部には前方確認用のミラーを設置し、そしてまた、断面４角形のヘッドガード右後脚に取り付けたときに、断面４角形のヘッドガード右後脚の前側の縦方向表面に沿うことになる前記の断面がＵ字状のベースプレートの前表面の下側寄りにはウインカ用スイッチと警報用ホーンボタンとを上下に設けた箱を固着して、断面がＵ字状のベースプレートにコ字状のグリップ、前方確認用のミラー、およびウインカ用スイッチと警報用ホーンボタンとを設けた箱とをまとめて設置し、このように部材をまとめて設置した断面がＵ字状のベースプレートを断面４角形のヘッドガード右後脚にあとづけ可能にすると共に、前記断面がＵ字状のベースプレートを断面４角形のヘッドガード右後脚に取り付けたときにオペレータは上半身を右後方にひねった状態で左手でハンドルを握って操作をしながら、右手でコ字状のグリップを親指以外の右手指と掌を使って握って身体を支えると共に、右手の親指でウインカ用スイッチや警報用ホーンボタンを操作することができる位置にグリップ、ウインカ用スイッチ、および警報用ホーンボタンを配置し、さらに、前記の箱に設けられているウインカ用スイッチと警報用ホーンボタンの電気回路はダッシュボードに装備されているものと並列回路として構成したことを特徴とするフォークリフトの電気機器装置としている。
【０００９】
この構成をとることにより、電気機器装置のあとづけによる取り付けが容易となると共に、オペレータの体格に合わせて、電気機器装置の高さ位置を調整できる。
【００１０】
請求項４記載の発明は、走行方向に長い辺を持つ長方形の板状のベースプレートの表面の長手方向中央に長手方向の表面を横断するようにコ字状のグリップを設置し、コ字状のグリップの後方で、走行方向に長い辺を持つ長方形の板状のベースプレートの外側で、かつ後側の角部に前方確認用のミラーを設置し、また、長方形の板状のベースプレートにおける前記コ字状のグリップの前側の表面には長方形の板状のベースプレートの長手方向の表面を横断するような配置で、ウインカ用スイッチと警報用ホーンボタンとを設置して、長方形の板状のベースプレートに、グリップ、前方確認用のミラー、ウインカ用スイッチ、および警報用ホーンボタンをまとめて設置すると共に、このように部材をまとめて設置した長方形の板状のベースプレートを、ボンネットの上面のシートの近傍に設置し、オペレータは上半身を右後方にひねった状態で左手でハンドルを握って操作をしながら、右手でコ字状のグリップを親指以外の右手指と掌を使って握って身体を支えると共に、右手の親指でウインカ用スイッチや警報用ホーンボタンを操作することができる位置にグリップ、ウインカ用スイッチ、および警報用ホーンボタンを配置し、さらに、前記のベースプレートに設けられているウインカ用スイッチと警報用ホーンボタンの電気回路はダッシュボードに装備されているものと並列回路として構成したことを特徴とするフォークリフトの電気機器装置としている。
【００１１】
この構成により、大型の車両などでオペレータからヘッドガード右後脚までの距離が大きく離れている場合でも、シート近傍に余裕のスペースがあるものについては、フォークリフトの電気機器装置の取り付け位置をボンネットの上とすることで、使い勝手がよくなる。
【００１２】
【発明の実施の形態】
以下この発明の実施の形態ついて図面により説明する。
図１は、この出願の発明の第１実施例に係るグリップと電気機器装置等をヘッドガードの右後脚に取り付けた状態を示す斜視図である。
図２はオペレータが後方走行中の操作を行なっている状態を示す上面図である。
図３はこの出願の発明の第２実施例に係るグリップと電気機器装置等を断面U字状のベースプレートにまとめて固定すると共に、これをあとづけ可能とした状態を示す分解斜視図である。
図４はこの出願の発明の第３実施例に係るグリップと電気機器装置等を板状のベースプレートにまとめて固定すると共に、これをボンネットに取り付けた状態を示す斜視図である。
【００１３】
図１に示すように、フォークリフトの断面４角形のヘッドガード右後脚５の内側の縦方向表面に、この内側の縦方向表面に沿ってオペレータが上半身を右後方にひねった状態でオペレータの右手で身体を支えることができるコ字状のグリップ１を設置する。そして、このコ字状のグリップ１の近傍であって、断面４角形のヘッドガード右後脚５の前表面に、ウインカ用スイッチ２と警報用ホーンボタン３とを設置した箱を固定する。また、フォークリフトの断面４角形のヘッドガード右後脚５の内側の縦方向表面に沿って設置したコ字状のグリップ１の上部後方の近傍には前方確認用のミラー４が固着されている。
図１に示されているフォークリフトの電気機器装置は、この出願の発明の第１実施例を示している。
【００１４】
この出願の発明の第１実施例に基づく各部材の取り付け配置は、オペレータが後方走行のために上半身を右後方にひねった状態で、コ字状のグリップ１を右手で握って身体を支えた状態で、右手の親指でウインカ用スイッチ２や警報用ホーンボタン３を操作することができる位置にグリップ１、ウインカ用スイッチ２、および警報用ホーンボタン３を配置する。
【００１５】
図２はオペレータが後方走行のために上半身を右後方にひねり、右手の親指以外の指と掌を使ってコ字状のグリップ１を握って身休を支え、左手でハンドル操作をしながら、後方走行に往意をすると共に、前方確認用のミラー４で前方の状態も確認しつつ右手親指を使って電気操作盤を操作している状態を示したものである。
【００１６】
図３はこの出願の発明の第２実施例に係る図面である。
断面４角形のヘッドガード右後脚５に取り付けたときにその一片が内側の縦長、長方形の表面となる断面がＵ字状のベースプレート８と、この断面がＵ字状のベースプレート８の内側の縦長、長方形の表面に、この内側の縦長、長方形の表面に沿って前方寄りにコ字状のグリップ１を設置する。そして、このコ字状のグリップ１の後方上部には前方確認用のミラー４を設置する。また、断面４角形のヘッドガード右後脚５に取り付けたときに前表面になる前記の断面がＵ字状のベースプレート８の下側寄りの前表面にはウインカ用スイッチ２と警報用ホーンボタン３とを上下に設けた箱を固着して、断面がＵ字状のベースプレート８にコ字状のグリップ１、前方確認用のミラー４、およびウインカ用スイッチ２と警報用ホーンボタン３とを設けた箱とをまとめて設置する。このように部材をまとめて設置した断面がＵ字状のベースプレート８をボルトなどの固定具により断面４角形のヘッドガード右後脚５にあとづけが可能にしたものである。
【００１７】
図４はこの出願の発明の第３実施例に係る図面である。
４は大型の車両の場合などで、オペレータがシート７からヘッドガード右後脚５に取り付けられたコ字状のグリップ１や電気操作盤のウインカ用スイッチ２や警報用ホーンボタン３が離れ過ぎて、操作に不便を感じる時に対応できるものである。
走行方向に長い辺を持つ長方形の板状のベースプレート８の表面の長手方向中央に長手方向の表面を横断するようにコ字状のグリップ１を設置する。そして、コ字状のグリップ１の後方で、走行方向に長い辺を持つ長方形の板状のベースプレート８の外側、かつ後側の角部に前方確認用のミラー４を設置する。また、長方形の板状のベースプレート８の表面の長手方向中央に横断するように設置したコ字状のグリップ１の前側の表面には長方形の板状のベースプレート８の長手方向の表面を横断するような配置で、ウインカ用スイッチ２と警報用ホーンボタン３とを設置して、長方形の板状のベースプレート８に、グリップ１、前方確認用のミラー４、ウインカ用スイッチ２、および警報用ホーンボタン３をまとめて設置する。このように部材をまとめて設置した長方形の板状のベースプレート８をボンネット６の上面のシート７近傍で、かつ、オペレータの右手でグリップ１を握ることができ、また、オペレータの右手の親指でウインカ用スイッチ２、および警報用ホーンボタン３の操作が可能な位置に、長方形の板状のベースプレート８の長い辺が走行方向に向くように配置されるように設置する。
【００１８】
この発明によるウインカ用スイッチ２と警報用ホーンボタン３の電気回路はダッシュボードに配置されているものと並列回路を構成していて、追加設置が容易であり、通常走行の時に操作するものに対しては何ら変更する必要がない。
【００１９】
グリップ１、ウインカ用スイッチ２と警報用ホーンボタン３を一つの箱に納めて１つの電気操作盤にする。ミラー４は必要に応じて選定する。選定は自由にでき、あとづけしたりオペレータの体格に合わせて電気機器装置の位置を調整することが容易であり、また大型の車両などでオペレータからヘッドガード右後脚までの距離が大きくなり、シート近傍に余裕のスペースがあるものには、取り付け位置を変えて適用することにより使い勝手がよくなる。
【００２０】
前方確認用のミラーによって、オペレータは荷側の安全を確認できると共に、車両の後方走行中の運転操作が一層安全にできるようになり、オペレータの疲労を防ぎ、安全作業の遂行に大いに役立つものとなる。
【図面の簡単な説明】
【図１】  この出願の発明の第１実施例に係るグリップと電気機器装置等を断面４角形のヘッドガードの右後脚に取り付けた状態を示す斜視図である。
【図２】  オペレータが後方走行中の操作を行なっている状態を示す上面図である。
【図３】  この出願の発明の第２実施例に係るグリップと電気機器装置等を断面U字状のベースプレートにまとめて固定すると共に、これを後付可能とした状態を示す分解斜視図である。
【図４】  この出願の発明の第３実施例に係るグリップと電気機器装置等を板状のベースプレートにまとめて固定すると共に、これをボンネットに取り付けた状態を示す斜視図である。
【図５】  従来のダッシュボード周りの標準操作パネルのー例を示す上面図である。
【符号の説明】
1・・・・・・・グリップ
2 ・・・・・・・ウインカ用スイッチ
3 ・・・・・・・警報用ホーンボタン
4 ・・・・・・・ミラー
5 ・・・・・・・断面４角形のヘッドガード右後脚
6 ・・・・・・・ボンネット
7 ・・・・・・・シート
8 ・・・・・・・ベースブレート
【図１】
0004605516.tif 000002
【図２】
0004605516.tif 000003
【図３】
0004605516.tif 000004
【図４】
0004605516.tif 000005
【図５】
0004605516.tif 000006